(57)【要約】【課題】イメージ選択画面を表示するためのボタンを省略することができる。【解決手段】編集画面Ａ内に、テープイメージ６１上に印刷データ６２を表したプレビュー表示領域５１を表示する表示部４１と、プレビュー表示領域５１上の任意の位置を指定するための操作部４２と、操作部４２の操作に従って、表示部４１の表示制御を行う表示制御部４３と、を備え、表示制御部４３は、印刷データ６２内のイメージデータ６４がプレビュー表示領域５１に表示されている場合であって、操作部４２によりプレビュー表示領域５１内におけるイメージデータ６４の表示領域が指定された場合、イメージデータ６４の種類を選択するためのイメージ選択画面を表示することを特徴とする。【選択図】図６
2013015949.tif 000002
【特許請求の範囲】
【請求項１】
編集画面内に、印刷媒体イメージ上に印刷データを表したプレビュー表示領域を表示する表示部と、
前記プレビュー表示領域上の任意の位置を指定するための操作部と、
前記操作部の操作に従って、前記表示部の表示制御を行う表示制御部と、を備え、
前記表示制御部は、前記印刷データ内のイメージデータが前記プレビュー表示領域に表示されている場合であって、前記操作部により前記プレビュー表示領域内における前記イメージデータの表示領域が指定された場合、前記イメージデータの種類を選択するためのイメージ選択画面を表示することを特徴とする表示装置。
【請求項２】
前記表示制御部は、前記印刷データ内のテキストデータが前記プレビュー表示領域に表示されている場合であって、前記操作部により前記テキストデータの表示領域が指定された場合、前記テキストデータを編集するためのテキスト編集画面を表示することを特徴とする請求項１に記載の表示装置。
【請求項３】
前記表示制御部は、前記印刷データ内のイメージデータがコード画像データであるか否かを判別し、前記操作部により前記コード画像データの表示領域が指定された場合は、前記コード画像データのコード情報を編集するためのコード情報編集画面を表示し、前記操作部により前記コード画像データ以外のイメージデータの表示領域が指定された場合は、前記イメージ選択画面を表示することを特徴とする請求項２に記載の表示装置。
【請求項４】
前記表示制御部は、前記操作部により前記プレビュー表示領域内における前記イメージデータの表示領域以外の領域が指定された場合、前記テキスト編集画面を表示することを特徴とする請求項２または３に記載の表示装置。
【請求項５】
前記表示制御部は、空白文字を前記テキストデータと看做すことを特徴とする請求項２ないし４のいずれか１項に記載の表示装置。
【請求項６】
前記テキストデータの表示領域は、前記テキストデータを含む矩形領域であることを特徴とする請求項２ないし５のいずれか１項に記載の表示装置。
【請求項７】
前記印刷媒体イメージは、印刷テープを示すテープイメージであり、
前記表示制御部は、前記操作部により前記テープイメージの前端または後端における所定領域が指定された場合、前記印刷データの前端および／または後端の余白長を設定するための余白設定画面を表示することを特徴とする請求項１ないし６のいずれか１項に記載の表示装置。
【請求項８】
前記イメージデータの表示領域は、前記イメージデータを含む矩形領域であることを特徴とする請求項１ないし７のいずれか１項に記載の表示装置。
【請求項９】
前記イメージデータの表示領域は、前記イメージデータの輪郭を拡張した当該輪郭に沿った領域であることを特徴とする請求項１ないし７のいずれか１項に記載の表示装置。
【請求項１０】
請求項１ないし９のいずれか１項に記載の表示装置と、
前記編集画面により編集した前記印刷データを、印刷装置に送信する送信部と、を備えたことを特徴とする携帯端末。
【請求項１１】
表示装置が、
編集画面内に、印刷媒体イメージ上に印刷データを表したプレビュー表示領域を表示する表示ステップと、
前記プレビュー表示領域上の任意の位置が指定された場合の位置情報を取得する位置情報取得ステップと、
前記位置情報に基づいて、前記編集画面の表示制御を行う表示制御ステップと、を実行し、
前記表示制御ステップでは、前記印刷データ内のイメージデータが前記プレビュー表示領域に表示されている場合であって、前記イメージデータの表示領域内の前記位置情報を取得した場合、前記イメージデータの種類を選択するためのイメージ選択画面を表示するように表示制御を行うことを特徴とする表示装置の制御方法。
【請求項１２】
コンピューターに、請求項１１に記載の表示装置の制御方法における各ステップを実行させるためのプログラム。
【発明の詳細な説明】
【技術分野】
【０００１】
本発明は、印刷データを編集するための編集画面を表示する表示装置、携帯端末、表示装置の制御方法およびプログラムに関するものである。
【背景技術】
【０００２】
従来、この種の表示装置として、パーソナルコンピューターから構成されると共に、ラベルデータ編集画面を表示して、ラベルデータ編集画面上でラベルデータを作成するラベルデータ作成装置が知られている（特許文献１参照）。このラベルデータ作成装置では、ラベルデータ編集画面として、印刷イメージを表示するオブジェクト作成エリアと、テキストを追加するテキスト挿入ボタンと、飾り枠を挿入する飾り枠挿入ボタンと、イメージを挿入するイメージ挿入ボタンと、を有した画面を表示する。また、イメージ挿入ボタンがクリックされた場合には、各種のイメージデータを選択するためのイメージ選択画面を表示する。そして、イメージ選択画面において所望のイメージデータを選択することにより、各種イメージが挿入される。
【先行技術文献】
【特許文献】
【０００３】
【特許文献１】特開２００９−２０５５９９号公報
【発明の概要】
【発明が解決しようとする課題】
【０００４】
ところで、近年、スマートフォン等の携帯端末に、ラベル作成用のアプリケーションを起動させて、印刷データ作成装置として機能させることが検討されている。かかる際、従来の構成を適用し、編集画面として上記のラベルデータ編集画面を表示して、印刷データを作成することが考えられる。
しかしながら、従来の構成では、イメージ選択画面を表示するためのイメージ挿入ボタンを配置する必要があるので、画面レイアウトが制限されてしまうという問題があった。特に、上記携帯端末のような表示画面が小さいデバイスでは、イメージ挿入ボタンを配置すると、表示画面上の広い領域がイメージ挿入ボタンに占領されてしまう。
【０００５】
本発明は、イメージ選択画面を表示するためのボタンを省略することができる表示装置、携帯端末、表示装置の制御方法およびプログラムを提供することを課題としている。
【課題を解決するための手段】
【０００６】
本発明の表示装置は、編集画面内に、印刷媒体イメージ上に印刷データを表したプレビュー表示領域を表示する表示部と、プレビュー表示領域上の任意の位置を指定するための操作部と、操作部の操作に従って、表示部の表示制御を行う表示制御部と、を備え、表示制御部は、印刷データ内のイメージデータがプレビュー表示領域に表示されている場合であって、操作部によりプレビュー表示領域内におけるイメージデータの表示領域が指定された場合、イメージデータの種類を選択するためのイメージ選択画面を表示することを特徴とする。
【０００７】
本発明の表示装置の制御方法は、表示装置が、編集画面内に、印刷媒体イメージ上に印刷データを表したプレビュー表示領域を表示する表示ステップと、プレビュー表示領域上の任意の位置が指定された場合の位置情報を取得する位置情報取得ステップと、位置情報に基づいて、編集画面の表示制御を行う表示制御ステップと、を実行し、表示制御ステップでは、印刷データ内のイメージデータがプレビュー表示領域に表示されている場合であって、イメージデータの表示領域内の位置情報を取得した場合、イメージデータの種類を選択するためのイメージ選択画面を表示するように表示制御を行うことを特徴とする。
【０００８】
これらの構成によれば、プレビュー表示領域上のイメージデータの表示領域が指定された場合に、イメージ選択画面を表示する構成とすることで、印刷確認用のイメージデータを、イメージ選択画面を表示するためのボタンとして機能させることができる。ゆえに、イメージ選択画面を表示するためのボタンを省略することができる。よって、画面レイアウトの制限を緩和することができ、表示画面の小さいデバイスにおいて、編集画面上で、ユーザーに対しより多くの情報を提供することができる。例えば、他の機能を割り当てたボタンを配置する、ステータスを表示するといった画面レイアウトが可能になる。
【０００９】
上記の表示装置において、表示制御部は、印刷データ内のテキストデータがプレビュー表示領域に表示されている場合であって、操作部によりテキストデータの表示領域が指定された場合、テキストデータを編集するためのテキスト編集画面を表示することが好ましい。
【００１０】
この構成によれば、テキスト編集画面を表示するボタンを省略することができるため、画面レイアウトの制限を更に緩和することができる。
【００１１】
この場合、表示制御部は、印刷データ内のイメージデータがコード画像データであるか否かを判別し、操作部によりコード画像データの表示領域が指定された場合は、コード画像データのコード情報を編集するためのコード情報編集画面を表示し、操作部によりコード画像データ以外のイメージデータの表示領域が指定された場合は、イメージ選択画面を表示することが好ましい。
【００１２】
この構成によれば、コード情報編集画面を表示するボタンを省略することができるため、画面レイアウトの制限を更に緩和することができる。
【００１３】
また、表示制御部は、操作部によりプレビュー表示領域内における上記イメージデータの表示領域以外の領域が指定された場合、テキスト編集画面を表示することが好ましい。
【００１４】
この構成によれば、イメージデータの表示領域以外の領域が指定された場合に、編集頻度が高いテキスト編集画面を表示するため、利便性の高いインターフェースを提供することができる。
【００１５】
この場合、表示制御部は、空白文字をテキストデータと看做すことが好ましい。
【００１６】
この構成によれば、空白文字（スペース）をテキストデータとして看做すことで、間隔が開いた２つのテキストデータを１つのテキストデータとして認識させることができる。また、当該間隔の表示領域が指定された場合にも、テキスト編集画面を表示することができる。
【００１７】
この場合、テキストデータの表示領域は、テキストデータを含む矩形領域であることが好ましい。
【００１８】
この構成によれば、表示したテキストデータから拡張した範囲を、当該テキストデータの表示領域とするため、ユーザーが当該テキストデータの表示領域を指定し易くなる。また、指定される表示領域を矩形領域とするため、表示領域の設定が容易である。
【００１９】
一方、印刷媒体イメージは、印刷テープを示すテープイメージであり、表示制御部は、操作部によりテープイメージの前端または後端における所定領域が指定された場合、印刷データの前端および／または後端の余白長を設定するための余白設定画面を表示することが好ましい。
【００２０】
この構成によれば、余白設定画面を表示するボタンを省略することができるため、画面レイアウトの制限を更に緩和することができる。
【００２１】
上記の表示装置において、イメージデータの表示領域は、イメージデータを含む矩形領域であることが好ましい。
【００２２】
この構成によれば、表示したイメージデータから拡張した範囲を、当該イメージデータの表示領域とするため、ユーザーがイメージデータの表示領域を指定し易くなる。また、指定される表示領域を矩形領域とするため、表示領域の設定が容易である。
【００２３】
上記の表示装置において、イメージデータの表示領域は、イメージデータの輪郭を拡張した当該輪郭に沿った領域であることが好ましい。
【００２４】
この構成によれば、表示したイメージデータから拡張した範囲を、当該イメージデータの表示領域とするため、ユーザーが当該イメージデータの表示領域を指定し易くなる。また、イメージデータの輪郭に沿った領域を、当該イメージデータの表示領域とするため、ユーザーにとって表示領域が認識し易くなる。
【００２５】
本発明の携帯端末は、上記の表示装置と、編集画面により編集した印刷データを、印刷装置に送信する送信部と、を備えたことを特徴とする。
【００２６】
この構成によれば、画面が小さい携帯端末において、編集画面上で、ユーザーに対しより多くの情報を提供することができる。
【００２７】
本発明のプログラムは、コンピューターに、上記の表示装置の制御方法における各ステップを実行させることを特徴とする。
【００２８】
この構成によれば、コンピューターに本プログラムを搭載するだけで、コンピューターに上記の表示装置の制御方法を実行させることができる。
【図面の簡単な説明】
【００２９】
【図１】本発明の一実施形態に係る印刷システムのシステム構成図である。
【図２】携帯端末の制御ブロック図である。
【図３】携帯端末の機能ブロック図である。
【図４】編集画面を示した図である。
【図５】画面遷移動作を示したフローチャートである。
【図６】画面遷移動作を示した説明図である。
【図７】シンボルデータの表示領域の変形例を示した図である。
【発明を実施するための形態】
【００３０】
以下、添付の図面を参照して、本発明の表示装置、携帯端末、表示装置の制御方法およびプログラムについて説明する。本実施形態では、表示装置として機能する携帯端末とテープ印刷装置とを有した印刷システムを例に挙げて説明する。
【００３１】
図１に示すように、印刷システム１は、印刷データ生成用のアプリケーションを搭載した携帯端末２と、携帯端末２上で生成した印刷データ６２を印刷テープＴに印刷するテープ印刷装置３と、無線ＬＡＮ（Ｌｏｃａｌ  Ａｒｅａ  Ｎｅｔｗｏｒｋ）ルーター４とにより構成されている。このうち、携帯端末２と無線ＬＡＮルーター４とは無線接続され、無線ＬＡＮルーター４とテープ印刷装置３とはケーブル５により有線接続されている。なお、印刷システム１が、複数の携帯端末２を備えている場合には、複数の携帯端末２により単一のテープ印刷装置３を共有使用可能に構成している。
【００３２】
携帯端末２は、タッチパネル１２を備えた一般的なスマートフォンである。そして、携帯端末２に、印刷データ生成用のアプリケーションをインストールし、これを起動させることで、当該携帯端末２が、印刷データ６２を生成する印刷データ生成装置として機能する。
【００３３】
テープ印刷装置３は、長尺状の印刷テープＴを繰り出し可能に収容したテープカートリッジ１６を装着しており、印刷テープＴを繰り出しつつ、携帯端末２から受信した印刷データ６２に基づいて、印刷処理および切断処理を行って、ラベルを作成する。
【００３４】
図２は、携帯端末２の制御ブロック図である。図２に示すように、携帯端末２は、ユーザーインターフェースである上記タッチパネル１２と、無線ＬＡＮルーター４を介してテープ印刷装置３との通信を行う無線通信装置１３と、これらを制御する制御装置２１と、各種データを記憶するフラッシュＲＯＭ（Ｆｌａｓｈ  Ｒｅａｄ  Ｏｎｌｙ  Ｍｅｍｏｒｙ）２２と、を備えている。
【００３５】
制御装置２１は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２およびＲＡＭ（Ｒａｎｄｏｍ  Ａｃｃｅｓｓ  Ｍｅｍｏｒｙ）３３から成る。ＣＰＵ３１は、中央処理装置であり、各種演算処理を行う。なお、特に図示しないが、ＣＰＵ３１は、現在時刻を計時するタイマーを有している。ＲＯＭ３２は、ＣＰＵ３１が各種演算処理を行うための制御プログラムを記憶し、ＲＡＭ３３は、ＣＰＵ３１が各種演算処理を行う際のワークエリアとして用いられる。フラッシュＲＯＭ２２は、テープ印刷装置３の各種データを記憶すると共に、印刷データ生成用のアプリケーションを記憶している。
【００３６】
ここで図３を参照して携帯端末２の機能構成について説明する。図３に示すように、携帯端末２は、表示部４１と、操作部４２と、表示制御部４３と、印刷データ送信部（送信部）４４と、を備えている。表示部４１は、タッチパネル１２を主要部とし、印刷データ６２を生成し編集するための編集画面Ａを表示する。操作部４２は、タッチパネル１２を主要部とし、編集画面Ａ上で各種操作を行うための手段である。表示制御部４３は、制御装置２１を主要部とし、操作部４２による操作に従って、表示部４１の表示制御（編集画面Ａの表示制御）を行う。印刷データ送信部４４は、無線通信装置１３を主要部とし、編集画面Ａにより編集した印刷データ６２を、テープ印刷装置３に送信する。
【００３７】
次に図４を参照して編集画面Ａについて説明する。編集画面Ａは、上から、プレビュー表示領域５１と、メニュー表示領域５２と、操作ボタン表示領域５３と、を有している。
【００３８】
プレビュー表示領域５１は、印刷テープＴのイメージであるテープイメージ（印刷媒体イメージ）６１上に配置された印刷データ６２をフリック操作によってスクロール自在に表示している。印刷データ６２は、編集画面Ａで挿入されたテキストデータ６３と、同じく編集画面Ａで挿入されたイメージデータ６４と、を有している。また、イメージデータ６４には、コード情報を示すコード画像データ６６と、コード画像データ６６以外のイメージデータ６４（以下、シンボルデータ６５）とがある。図４中の例では、シンボルデータ６５、テキストデータ６３およびコード画像データ６６が挿入され、これらが並んで配置されている。なお、同図に示すように、コード画像データ６６は、二次元コード（ここではＱＲコード）である。また、同図に示すように、空白文字および改行文字もテキストデータ６３と看做す構成とする。
【００３９】
メニュー表示領域５２には、上から、テープ長設定メニュー７１と、テープ幅設定メニュー７２と、文字サイズ設定メニュー７３と、イメージ設定メニュー７４と、を表示する。
【００４０】
テープ長設定メニュー７１は、印刷データ６２のテープ長を自動設定するテープ長自動設定ボタン７６と、上記テープ長を固定値に手動設定するテープ長固定設定ボタン７７と、手動設定の際にテープ長を入力するテキストボックス７８と、を有している。携帯端末２は、テープ長自動設定ボタン７６がタップ操作されると、印刷データ６２に基づいてテープ長を設定する。一方、テープ長固定設定ボタン７７がタップ操作されると、テキストボックス７８への入力が可能となり、入力されたテープ長となるように印刷データ６２を編集する（余白の付加、文字サイズ・文字幅の変更など）。
【００４１】
テープ幅設定メニュー７２は、印刷データ６２のテープ幅を、「１２ｍｍ」、「１８ｍｍ」、「２４ｍｍ」、「３６ｍｍ」、「５０ｍｍ」、「１００ｍｍ」の中から選択可能となっている。
【００４２】
文字サイズ設定メニュー７３は、テキストデータ６３の文字サイズを、「大」、「中」、「小」の中から選択可能となっている。
【００４３】
イメージ設定メニュー７４は、シンボルデータ６５の挿入位置を、「なし」、「左」、「全体」、「右」の中から選択可能となっている。ここで、「左」が選択されると、シンボルデータ６５を左寄せの配置とする（テープ前端側に配置する）。また、「右」が選択されると、シンボルデータ６５を右寄せの配置とする（テープ後端側に配置する）。さらに、「全体」が選択されると、テープ幅方向に拡大されたシンボルデータ６５が、印刷テープＴ全体に配置される。なお、シンボルデータ６５が挿入されていない場合は、イメージ設定メニュー７４から「左」または「右」を選択することで、所定のシンボルデータ６５を挿入することができる。その場合、所定のシンボルデータ６５は、前回選択したシンボルデータ６５であっても良いし、あらかじめ決まっているシンボルデータ６５であっても良い。また、シンボルデータ６５を選択するイメージ選択画面が表示されても良い。
【００４４】
操作ボタン表示領域５３は、拡張設定ボタン９６、プレビューボタン９７、印刷ボタン９８を有している。拡張設定ボタン９６は、拡張設定画面を表示するボタンである。拡張設定画面には、イメージ選択画面を表示させるためのイメージ選択ボタンや、ＱＲコードを作成するためのＱＲコード作成画面を表示させるためのＱＲコード作成ボタンなどを表示する（図示省略）。プレビューボタン９７は、テープ上に印刷された印刷データ６２を実寸大で表示するプレビュー画面を表示するボタンである。印刷ボタン９８は、印刷指示を行うボタンである。つまり、印刷ボタン９８が押下されると、印刷データ送信部４４により、印刷データ６２をテープ印刷装置３に送信する。
【００４５】
ところで、本実施形態では、携帯端末２のユーザビリティーを向上するため、プレビュー表示領域５１上にイメージデータ６４やテキストデータ６３が表示されている場合に、イメージデータ６４やテキストデータ６３等をタップ操作すると、これらを変更・編集するための選択画面や編集画面に画面が遷移するように構成されている。ここで図５および図６を参照して、このプレビュー表示領域５１上のタップ操作に伴う画面遷移動作について説明する。図５は、画面遷移動作を示したフローチャートである。図６は、画面遷移動作を示した画面遷移図である。なお、本画面遷移動作は、編集画面Ａが表示された状態で行われるものとする。また、図６中では、シンボルデータ６５、テキストデータ６３およびコード画像データ６６が、プレビュー表示領域５１に表示されている場合を例示している。さらに、本実施形態においては、編集画面Ａのプレビュー表示領域５１上においてタップ操作を行った際に、画面を遷移させるものであり、上記プレビュー画面においてタップ操作を行った際には、画面を遷移させないものとする。
【００４６】
図５に示すように、画面遷移動作において、初期状態では、プレビュー表示領域５１上へのタップ操作待ちの状態になっている（Ｓ１）。そして、プレビュー表示領域５１上の任意の位置がタップ操作（指定）された場合（Ｓ１：Ｙｅｓ）、操作部４２により、タップ操作された位置の位置情報を取得する（Ｓ２：位置情報取得ステップ）。タップ操作された位置の位置情報を取得したら、当該位置情報に基づいて、タップ操作された位置が、シンボルデータ６５の表示領域であるか、テキストデータ６３の表示領域であるか、コード画像データ６６の表示領域であるか、こられの表示領域以外の領域であるかを判別する（Ｓ３）。別の言い方をすると、シンボルデータ６５の表示領域内の位置情報を取得したか、テキストデータ６３の表示領域内の位置情報を取得したか、コード画像データ６６の表示領域内の位置情報を取得したか、プレビュー表示領域５１内で且つ各表示領域外の位置情報を取得したか、を判別する。図６に示すように、携帯端末２では、シンボルデータ６５を含む矩形領域が当該シンボルデータ６５の表示領域に設定され、テキストデータ６３を含む矩形領域が当該テキストデータ６３の表示領域に設定され、コード画像データ６６を含む矩形領域が当該コード画像データ６６の表示領域に設定されている。
【００４７】
プレビュー表示領域５１内にシンボルデータ６５が表示されている場合であって、プレビュー表示領域５１内におけるシンボルデータ６５の表示領域がタップ操作されたと判別された場合（Ｓ３：Ａ）、表示制御部４３により、イメージ選択画面を表示部４１に表示させる（Ｓ４：表示制御ステップ）。イメージ選択画面は、イメージデータ６４の種類を選択するための画面であり、具体的には、予め記憶された複数のシンボルデータ６５からいずれか１つのシンボルデータ６５を選択する画面である。操作部４２によって、１つのシンボルデータ６５が選択されたら（Ｓ５：Ｙｅｓ）、タップ操作された元のシンボルデータ６５を、選択されたイメージのシンボルデータ６５に差し替える（Ｓ６）。そして、編集画面Ａを表示し（Ｓ７）、タップ操作待ちの状態（Ｓ１）に戻る。
【００４８】
一方、プレビュー表示領域５１内にコード画像データ６６が表示されている場合であって、プレビュー表示領域５１内におけるコード画像データ６６の表示領域がタップ操作されたと判別された場合、表示制御部４３により、コード情報編集画面を表示部４１に表示させる（Ｓ８）。コード情報編集画面は、コード画像データ６６のコード情報を編集するための画面である。操作部４２によって、コード情報が編集されたら（Ｓ９：Ｙｅｓ）、タップ操作された元のコード画像データ６６を、編集されたコード情報のコード画像データ６６に差し替える（Ｓ１０）。そして、編集画面Ａを表示し（Ｓ１１）、タップ操作待ちの状態（Ｓ１）に戻る。
【００４９】
さらに、プレビュー表示領域５１内にテキストデータ６３が表示されている場合であって、プレビュー表示領域５１内におけるテキストデータ６３の表示領域がタップ操作されたと判別された場合（Ｓ３：Ｂ）、もしくは各表示領域以外の領域がタップ操作されたと判別された場合（Ｓ３：Ｄ）、表示制御部４３により、テキスト編集画面を表示部４１に表示させる（Ｓ１２）。テキスト編集画面は、特に図示しないが、テキストデータ６３を編集するための画面であり、編集中のテキストデータ６３を表示する文字入力エリアと、文字を入力するためのソフトキーボードと、予測変換候補を例示する候補例示エリアと、を有した画面である。操作部４２によって、テキストが編集されたら（Ｓ１３：Ｙｅｓ）、タップ操作された元のテキストデータ６３を、編集されたテキストデータ６３に差し替える（Ｓ１４）。そして、編集画面Ａを表示し（Ｓ１５）、タップ操作待ち状態（Ｓ１）に戻る。
【００５０】
以上のような構成によれば、編集画面Ａ上に、イメージ選択画像を表示するためのボタンを省略することができる。よって、画面レイアウトの制限を緩和することができ、表示画面の小さいデバイスにおいて、編集画面Ａ上で、ユーザーに対しより多くの情報を提供することができる。
【００５１】
また、操作部４２によりテキストデータ６３の表示領域が指定された場合、テキスト編集画面を表示することで、編集画面Ａ上に、テキスト編集画面を表示するためのボタンを省略することができるため、画面レイアウトの制限を更に緩和することができる。
【００５２】
さらに、印刷データ６２内のイメージデータ６４がコード画像データ６６であるか否かを判別し、操作部４２によりコード画像データ６６の表示領域が指定された場合は、コード情報編集画面を表示し、操作部４２によりコード画像データ６６以外のイメージデータ６４（シンボルデータ６５）の表示領域が指定された場合は、イメージ選択画面を表示することで、編集画面Ａ上に、コード情報編集画面を表示するためのボタンを省略することができるため、画面レイアウトの制限を更に緩和することができる。
【００５３】
またさらに、イメージデータ６４の表示領域以外の領域が指定された場合に、編集頻度が高いテキスト編集画面を表示するため、利便性の高いインターフェースを提供することができる。
【００５４】
また、表示したテキストデータ６３から拡張した範囲を、当該テキストデータ６３の表示領域とするため、ユーザーが当該テキストデータ６３の表示領域を指定し易くなる。また、指定される表示領域を矩形領域とするため、表示領域の設定が容易である。
【００５５】
さらに、表示したイメージデータ６４から拡張した範囲を、当該イメージデータ６４の表示領域とするため、ユーザーがイメージデータ６４の表示領域を指定し易くなる。また、指定される表示領域を矩形領域とするため、表示領域の設定が容易である。
【００５６】
また、空白文字（スペース）や改行文字をテキストデータ６３として看做すことで、間隔が開いた２つのテキストデータ６３や改行したテキストデータ６３を１つのテキストデータ６３として認識させることができる。また、当該間隔の表示領域が指定された場合にも、テキスト編集画面を表示することができる。
【００５７】
なお、本実施形態において、操作部４２によりテープイメージ６１の前端または後端における所定領域がタップ操作（指定）された場合、印刷データ６２の前端および／または後端の余白長を設定するための余白設定画面を表示する構成であっても良い。かかる場合、余白設定画面を表示するためのボタンを省略することができるため、画面レイアウトの制限を更に緩和することができる。
【００５８】
また、本実施形態においては、イメージデータ６４（シンボルデータ６５およびコード画像データ６６）を含む矩形領域を当該イメージデータ６４の表示領域としたが、図７に示すように、イメージデータ６４（図７中ではシンボルデータ６５）の輪郭を拡張した当該輪郭に沿った領域を、イメージデータ６４の表示領域としても良い。かかる場合、ユーザーにとって表示領域が認識し易くなる。
【００５９】
さらに、本実施形態においては、コード画像データ６６として、ＱＲコードを印刷データ６２とする構成であったが、バーコードやＱＲコード以外の二次元コードを印刷データ６２とする構成であっても良い。
【００６０】
またさらに、本実施形態においては、編集画面Ａのプレビュー表示領域５１上において、各データの表示領域がタップ操作された際、対応する各種選択画面、編集画面を表示する構成であったが、プレビューボタン９７をタップ操作して表示される上記プレビュー画面（印刷確認画面）上で、各データの表示領域がタップ操作された際、対応する各種選択画面、編集画面を表示する構成であっても良い。
【００６１】
また、本実施形態においては、イメージデータ６４および／またはテキストデータ６３を挿入し、この挿入したイメージデータ６４および／またはテキストデータ６３をプレビュー表示領域５１上でタップ操作して、イメージデータ６４および／またはテキストデータ６３の選択画面、編集画面を表示することで、これらのデータの変更、編集を行う構成であったが、携帯端末２が、編集前の初期状態において、サンプルのイメージデータ６４および／またはサンプルのテキストデータ６３を、印刷データ６２に挿入しておく構成であっても良い。かかる場合、初期状態で、プレビュー表示領域上５１にイメージデータ６４および／またはテキストデータ６３が表示されるので、プレビュー表示領域上５１での操作のみで、イメージデータ６４および／またはテキストデータ６３を含んだ印刷データ６２を作成することができ、データ挿入の手間を省くことができる。
【００６２】
また、本実施形態においては、テープ印刷装置３の印刷データ６２を生成するものに、本発明を適用したが、印刷テープＴでない印刷媒体（例えば印刷用紙）に印刷処理を行う印刷装置の印刷データ６２を生成するものに、本発明を適用しても良い。
【００６３】
さらに、本実施形態においては、携帯端末２上で印刷データ６２を編集する編集画面Ａの表示制御に本発明を適用したが、コンピューター（例えばパーソナルコンピューター）上で印刷データ６２を編集する編集画面Ａの表示制御に本発明を適用しても良いし、テープ印刷装置３上で印刷データ６２を編集する編集画面Ａの表示制御に本発明を適用しても良い。
【００６４】
またさらに、点字プリンターの打刻データを編集する編集画面Ａの表示制御に、本発明を適用しても良い。この場合、打刻データを表示するプレビュー表示画面５１上において、打刻データ内の点字データの表示領域をタップ操作した際、点字データを編集するための点字データ編集画面を表示する構成としても良い。
【符号の説明】
【００６５】
２：携帯端末、  ３：テープ印刷装置、  ４１：表示部、  ４２：操作部、  ４３：表示制御部、  ５１：プレビュー表示領域、  ６１：テープイメージ、  ６２：印刷データ、  ６３：テキストデータ、  ６４：イメージデータ、  ６６：コード画像データ、  Ａ：編集画面、  Ｔ：印刷データ
【図１】
2013015949.tif 000003
【図２】
2013015949.tif 000004
【図３】
2013015949.tif 000005
【図４】
2013015949.tif 000006
【図５】
2013015949.tif 000007
【図６】
2013015949.tif 000008
【図７】
2013015949.tif 000009